(57)【要約】      （修正有）【課題】舞台、演劇、ミュージカル、バレエ、コンサート、ライブ等、あらゆる舞踊を行う演出において舞踊人の動き、また他振動により、舞踊人の手、胴体、脚、小道具等から紙吹雪を舞い散らすことが出来、大変美しくまた、華やかに演出でき、多種多様な舞台での演出効果が可能になる紙吹雪散らし具の提供。【解決手段】舞踊人の着用している衣装３の、紙吹雪を散らしたい箇所、身頃、袖、裾等や舞踊人の持つ小道具、舞台で使用する小道具等に所望の大きさの紙吹雪散らし具１を装着し、紙吹雪を挿入させ、舞踊人の動き、また他振動により紙吹雪を舞い散らす。【選択図】図３
2014008112.tif 000002
【特許請求の範囲】
【請求項１】
紙吹雪を飛散させるための紙吹雪散らし具であって、袋台と袋表からなり、少なくとも該袋台と袋表のいずれか一方、又は両方が布であり、前記袋台と袋表は縫製により上部に開口部を有する紙吹雪収納部と、その紙吹雪収納部の下方には開口された散らし部を備えたことを特徴とする紙吹雪散らし具。
【請求項２】
散らし部に紙吹雪の落下を抑える為の落下抑制部または、紙吹雪の落下を防止する落下防止部材を設けたことを特徴とする請求項１に記載の紙吹雪散らし具。    
【請求項３】
請求項１または請求項２の何れかに記載の紙吹雪散らし具を衣装に設けたことを特徴とする紙吹雪散らし具を装着した衣装。
【発明の詳細な説明】
【技術分野】
【０００１】
本発明は舞台、演劇、ミュージカル、バレエ、コンサート、ライブ等、あらゆる舞踊を行う演出において、舞踊人の着用している衣装、または舞踊人が持つ小道具、舞踊人の衣装に装着する小道具、舞台で使用する小道具等の裏側又は表側に、所望の大きさの布製品を装着し、紙吹雪を挿入させ、舞踊人が踊ることにより、舞踊人の手、胴体、脚、小道具等から紙吹雪を散らすことが出来、大変美しくまた、華やかで多種多様な演出効果が得られる衣装の技術分野に関する。
【背景技術】
【０００２】
これまでの舞台演出において、天井より紙吹雪を散らすことは多く行われているが、本発明は、舞踊している人の手、胴体、足、使用する小道具を動かすことにより、衣装の袖口、裾、舞台で用いる小道具等から紙吹雪を散らすことができ、多種多様な演目に対応可能かつ演習効果を向上させることができる演出装置である。従来、紙吹雪を舞い散らすものとして、偏平型ホルダー（特許文献１参照）が知られている。
【先行技術文献】
【特許文献】
【０００３】
【特許文献１】特開２００４−１７３１２号公報
【発明の概要】
【発明が解決しようとする課題】
【０００４】
従来から、天井より紙吹雪を散らす演出は、一般的に常に行われており、インパクトに欠けている。又、特許文献の発明は紙吹雪を舞い散らすためのホルダーであるが構造が複雑であり、操作性が悪い。
【課題を解決するための手段】
【０００５】
本願発明は、請求項１として紙吹雪を飛散させる為の紙吹雪散らし具であって、袋台と袋表からなり、少なくとも該袋台と袋表のいずれかが布であり、前記袋台と袋表は縫製により上部に開口部を有する紙吹雪収納部と、その紙吹雪収納部の下方には開口された散らし部を備えたことを特徴とする紙吹雪散らし具である。
請求項2として散らし部に紙吹雪の落下を抑える為の落下抑制部または、紙吹雪の落下を防止する落下防止部材を設けたことを特徴とする請求項１に記載の紙吹雪散らし具である。請求項3として請求項１または請求項２の何れかに記載の紙吹雪散らし具を衣装に設けたことを特徴とする紙吹雪散らし具を装着した衣装である。上記課題を解決するための手段として、舞踊人の衣装、衣装に装着する小道具、舞踊人が持つ小道具、例として旗等、舞台で使用する小道具等に本発明を装着することで、舞台演出に、華やかさ、美しさなど様々な演出効果を見出すことができる。なおかつ、多種多様な演目に活用可能な衣装用紙吹雪散らし具、及び紙吹雪散らし具を装着した衣装を提供することにある。
【０００６】
本発明は、袋台と袋表の２枚あわせの場合、着脱可能な接合部材、例として面ファスナー、スナップ、ボタンとボタンホール等を紙吹雪散らし具と衣装間、紙吹雪ちらし具と小道具間で使用することにより、他衣装にも再度使用が可能である。
【０００７】
本発明の基本形態は、２枚あわせの袋状であるが、袋表の1枚を縫製により衣装や小道具に直接つけて紙吹雪散らし具とすることも可能で、この場合、衣装や小道具が袋台となる。衣装や小道具等、それ自体に厚みをもたせたくない場合に、簡単に装着できる。
【発明の効果】
【０００８】
舞台演出上、これまで天井より紙吹雪を散らす演出は行われており、演出上、空から降る雪等であれば、違和感はないが、例として桜の花の散る様子を演出する場合、桜の花びらは空からでなく、木から散る為、紙吹雪散らし具を装着した衣装を着た舞踊人を桜の木と演出した場合に、桜の木から紙吹雪、いわゆる花びらが散る演出効果が得られる。従来の天井からの紙吹雪を散らす演出は、よく行われており、インパクトに欠けるが、本発明を使用することにより、舞踊人の手、胴体、足、舞踊人の持つ小道具、舞台で使用する小道具など装着箇所により多種多様の演目、演出に使用でき、より華やかでかつ美しい演出効果が得られる。各種舞台、ライブ、コンサート、バレエ公演、ミュージカル等あらゆる舞踊の場面で、美しく華やかに、多種多様の舞台演出効果を上げることができる。
【図面の簡単な説明】
【０００９】
【図１】本発明の一実施例の図であり、（Ａ）は３つの収納部を持つ紙吹雪散らし具の正面側から見た斜視図。（Ｂ）は収納部が1つである斜視図。（Ｃ）は（Ｂ）を裏面から見た斜視図。
【図２】（Ａ）は衣装の身頃に装着した一部を破断した正面から見た図である。（Ｂ）は衣装の袖口に装着した一部を破断した正面から見た図である。
【図３】スカート裾に、収納部が1つである紙吹雪散らし具を、3箇所に装着し、一部を破断した正面から見た図である。
【図４】フレアーパンツのそれぞれの裾に、収納部が2つである紙吹雪散らし具を装着し、一部を破断した正面から見た図である。
【図５】２枚重ねで製作した旗に、収納部が3つである紙吹雪散らし具を装着し、一部を破断した正面から見た図である。
【発明を実施するための形態】
【００１０】
以下、図面に基づいて本発明を説明する。
【実施例】
【００１１】
図１の（Ａ）は、本発明の衣装用紙吹雪散らし具の斜視図である。図1（Ｂ）、（Ｃ）は、図２（Ｂ）、図3にあるように、巾の狭い箇所等へ装着する場合の図である。ヨコ３０cm×タテ２０cmの大きさが好適で、仕切り２で幅を3等分した位置で仕切って収容部８を３つ作った。紙吹雪は開口８１の３箇所より挿入し袋の中に収納する。落下抑制部５は、各3つの散らし部９の中心より幅６〜7cm程度開口し、散らし部９の各両淵を１．５cm程度閉じて落下抑制部５とした。散らし部9の巾を小さくし、紙吹雪が簡単に落下することを防ぎ、舞踊の際の舞踊人の身体の振動や、旗等を振ることにより、紙吹雪が舞い散ることとなる。
【００１２】
この例では袋表３と袋台４は共に布である。更に、散らし部９には横方向に連続した穴をあけ、散らし部９の開口を縫うようにして閉じ、（Ａ）の場合は２本の落下防止部材１０の紐を、又、（Ｂ）の場合は１本の落下防止部材１０の紐により閉じた。舞台上において紙吹雪を散らす際には、これらの紐を一気に引き抜くことにより、紙吹雪が落下し舞い散ることとなる。本発明は、衣装の開放部である上衣の裾、袖口、スカートやズボンの裾、旗等の小道具から紙吹雪を舞い散らすために、前身頃、後身頃、袖、スカートの裾、ズボンの裾、マントの裾、旗の小道具等、紙吹雪を散らしたい場所に簡単に装着可能なことを特徴とする。
【００１３】
なお、この例では紙吹雪の落下を抑える落下抑制部５と落下防止部材１０をともに設けているが、袋表３と袋台４が布であるため紙吹雪は適当に収容部８にとどまり人体の動き、他振動に応じて紙吹雪が散らされる。
【００１４】
仕切り２は縫製により設けると良い。袋表３は布製で良く、衣装と共布で作ると衣装の開放部から覗いたとしても、客席からは紙吹雪散らし具１を付けていることが分かりづらい。又、薄手の異なった色、模様でも無論良い。この紙吹雪散らし具１の衣装への付け方は、縫製、又は、ホック止め、面ファスナー、ボタンとボタンホール等の接合部材により接合し、装着すると良い。又、袋台4は、布製でヨコ３０ｃｍ×タテ２５ｃｍの大きさが好適である。図１（Ｂ）は、ヨコ１０ｃｍ×タテ２５ｃｍの大きさが好適である。紙吹雪６は、半紙などの薄い紙製で２．５×３センチ程度の大きさが好適である。落下抑制部５は、散らし部9の開口が６〜７ｃｍ程度になるように、袋台４の縫目7の最下部より1ｃｍ程度上部から、散らし部９の左右ともに内側に１．５cm程度縫製により閉じると良い。
【００１５】
この時、紙吹雪6を２．５×３ｃｍ程度にした場合、落下抑制部５の巾は１．５ｃｍが好適である。また一気に紙吹雪を散らしたい場合、落下抑制部５を無くし、落下防止部材１０のみを使用し、落下防止部材１０を引き抜いた時、一気に短時間で散らすことも可能である。落下防止部材１０は、紐または糸、リリアンなど、散らし部９を開口する際に、すべりのよいものが好適である。散らし部9の巾は、６〜７ｃｍが好適である。もちろん、更に落下抑制部５も設けずとも、袋表３を袋台４が布であるので適度に紙吹雪は落下して舞い散る。
【００１６】
図２（Ａ）は図１（Ａ）で示した収納部８が３つある紙吹雪散らし具１を上衣１２の後身頃にホックにより取り外し可能に設けた例である。（Ａ）の状態で３つの収納部に紙吹雪６を挿入し、舞い散る様子を確認しているところの図である。図２（Ｂ）は図１（Ｂ）の紙吹雪散らし具１を上衣１２の両方の袖口の内側後方部に取り付けた図である。この衣装１１を着た人が、舞台の上で袖口の紙吹雪の落下防止部材１０の紐を引き抜くと、袖口から紙吹雪が舞い散る状態を示している。また、演目最初より適度に５分から１０分程度紙吹雪を散らしたい場合、落下防止部材１０は無くし、長い時間散らしたい場合は紙吹雪６の量を多めに、短い時間で良い場合は紙吹雪６の量を少なめにするなど、演出に合わせて調整ができる。図3スカート、図４フレアーパンツ、他小道具、例として図５旗やマント等に紙吹雪散らし具１を装着する場合にも上記方法を当てはめることができる。前身頃、後身頃、どちらでも装着可能である。装着位置は、演出、衣装布地、又は好みにより自由に装着可能で、装着位置はこの限りではない。図は各身頃裏側に装着した図であるが、演目上、衣装外見上など、構わないのであれば、衣装と同じ布などを使い、紙吹雪を散らしたい衣装の表側に装着して使用することも可能である。
【００１７】
図3はスカート裾の装着例である。装着方法はこの限りでなく、衣装生地、衣装形態など考慮し、図1（Ａ）（Ｂ）ともに装着可能である。装着方法は紙吹雪散らし具と衣装の間を、縫製又は、ホック止め、面ファスナー、ボタンとボタンホール等の接合部材で、又、紙吹雪散らし具の袋表と衣装を袋台として接合し、紙吹雪散らし具としても良い。装着位置は、演出、衣装布、又は好みにより自由に装着可能である。演目上、衣装外見上など、構わないのであれば、衣装と同じ布などを使い、衣装の表側に装着して使用することも可能である。装着位置はこの限りではない。
【００１８】
図４は、フレアーパンツ裾の装着例である。装着方法はこの限りでなく、衣装生地、衣装形態などを考慮し、図１（Ａ）（Ｂ）ともに装着可能で、装着方法、装着箇所は、演出に合わせて幾通りも考えられる。装着位置は、演出、衣装布地、又は好みにより自由に装着可能である。図４は左右のフレアーパンツ裏側に装着した図であるが、演目上、衣装外見上など、構わないのであれば、衣装と同じ布などを使い、衣装の表側に装着して使用することも可能である。
【００１９】
図５は、旗の装着例である。旗の生地を２枚重ねにし、その間に紙吹雪散らし具１を装着した図である。装着方法はこの限りでなく、旗の生地や形態などを考慮し、図１（Ａ）（Ｂ）ともに装着可能で、装着方法、装着箇所は、演出に合わせて幾通りも考えられる。演目上、旗の外見上など、構わないのであれば、旗と同じ布等を使い、旗の表側に装着して使用することも可能である。
【００２０】
本発明は、演出上、舞踊途中や、終盤で紙吹雪を散らしたい場合、図１（A）の落下防止部材１０の２本の糸を左右から引き抜くことで、紙吹雪を散らしたい場面で、散らすことが可能であり、演技はじめから紙吹雪を散らしたい場合は、演技直前に、図１（A）（Ｂ）で示す落下防止材である紐１０を抜いて使用できる。その他、落下防止部材としては、紐または糸、リリアンなど散らし部９を開口する際にすべりの良いものが好適である。また紙吹雪を、演出上、一気に落としたい、血を流すシーンなどに使用したい場合は、落下抑制部5を無くし散らし部9の開口を大きくし、落下防止部材を引き抜くことで一気に紙吹雪を飛散させることも可能である。
【００２１】
バレエ、演劇、ミュージカル等様々な舞台において、舞踊人の衣装の紙吹雪を散らしたい箇所、衣装内側または表側、小道具に装着し、舞踊人が踊る振動又は、小道具を振動させることで、舞踊人の手、胴体、脚の衣装の開放部又は、小道具の開放部から、紙吹雪を舞い散らすことで、美しさ、華やかさ等様々な演出効果が得られ、多種多様な舞台演出効果を上げることのできる紙吹雪散らし具である。
【００２２】
本発明の基本形態は、 図1（A）のヨコ３０ｃｍ×タテ２０ｃｍ程度の袋表３と袋台４の２枚からなるものが好適である。又、ヨコ幅を三等分した、図1（Ａ）の仕切り２により仕切る。本発明図1（Ｂ）、（Ｃ）の紙吹雪散らし具を、上衣、袖口やズボンの裾等に装着し、袖口や裾等から、いわゆる舞踊人の手や脚等から、紙吹雪を散らすことが出来る紙吹雪散らし具である。又、小道具、例として旗等にも同様に装着し、舞踊人が旗を振る動作、また他振動により紙吹雪を散らすことが可能である。
【００２３】
本発明に使用する紙吹雪６は縦横２〜３ｃｍ角程度の紙製のものを使用し、本発明の袋状になっている箇所収納部8へ挿入し使用する。紙吹雪６は、２．５×３ｃｍ角の大きさで半紙のように薄い紙製が好適である。紙吹雪を１０分程度継続して散らしたい場合は多めに挿入し、紙吹雪を散らす時間を短くしたい場合は、少なめに調整すると良い。紙吹雪を入れる量により、紙吹雪をちらしたい時間を調整できる紙吹雪散らし具１である。
【００２４】
本発明を舞台等の舞踊、公演、ショー等の中盤、終盤など演出途中で紙吹雪を散らしたい場合は、装置下の図１（Ｂ）、（Ｃ）で示す落下防止部材１０である紐を、両側から引き抜くことで、紙吹雪を散らしたい場面で、自由に散らすことが出来る。また、舞踊の最初より紙吹雪を散らしたい場合は、舞踊直前に、図１の（Ｂ）、（Ｃ）で示す落下防止部材１０である紐を抜けば、紙吹雪を散らすことができる紙吹雪散らし具1である。落下防止部材１０は１本にして、どちらか一方から引き抜く方法と、２本にして両側から引き抜く方法があり、演目、衣装形態等を考慮し、選択が可能である。
【００２５】
また、落下抑制部５を設けることで、急激に紙吹雪が落下することなく、落下抑制部5により開口部が偏平になり落下が抑制され、程よく紙吹雪を舞い散らせることができる紙吹雪ちらし具１である。
【産業上の利用可能性】
【００２６】
衣装業界、演劇業界において利用することができる。
【符号の説明】
【００２７】
１  紙吹雪散らし具
２  仕切り
３  袋表
４  袋台
５  落下抑制部
６  紙吹雪
７  縫目
８  収容部
８１  開口部
９  散らし部
１０  落下防止部材
１１  紙吹雪散らし具装着衣装
１２  上衣
１３  スカート
１４  フレアーパンツ
１５  旗
【図１】
2014008112.tif 000003
【図２】
2014008112.tif 000004
【図３】
2014008112.tif 000005
【図４】
2014008112.tif 000006
【図５】
2014008112.tif 000007
【手続補正書】
【提出日】平成24年11月8日(2012.11.8)
【手続補正１】
【補正対象書類名】明細書
【補正対象項目名】０００５
【補正方法】変更
【補正の内容】
【０００５】
本願発明は、請求項１として、紙吹雪を飛散させるための紙吹雪散らし具であって、袋台と袋表からなり、少なくとも該袋台と袋表のいずれか一方、又は両方が布であり、前記袋台と袋表は縫製により上部に開口部を有する紙吹雪収納部と、その紙吹雪収納部の下方には開口された散らし部を備えると共に、該散らし部の両端に開口を狭めて、紙吹雪の落下を抑える為の落下抑制部及び、散らし部には穴を設け、該穴には開口と閉じるためのすべりの良い紐を通して、前記穴から容易に紐を引き抜き可能とした紙吹雪の落下を防止する落下防止部材を設けたことを特徴とする紙吹雪散らし具である。
請求項２として、請求項１に記載の紙吹雪散らし具を衣装に設けたことを特徴とする紙吹雪散らし具を装着した衣装である。
上記課題を解決するための手段として、舞踊人の衣装、衣装に装着する小道具、舞踊人が持つ小道具、例として旗等、舞台で使用する小道具等に本発明を装着することで、舞台演出に華やかさ、美しさ等、様々な演出効果を見出すことができる。又、落下抑制部を設けることで、一度に紙吹雪を散らす以外に長い時間、チラチラと散らすことが可能である為、多種多様な演目に活用可能な衣装用紙吹雪散らし具、及び紙吹雪散らし具を装着した衣装を提供することにある。
【手続補正２】
【補正対象書類名】特許請求の範囲
【補正対象項目名】全文
【補正方法】変更
【補正の内容】
【特許請求の範囲】
【請求項１】
紙吹雪を飛散させるための紙吹雪散らし具であって、袋台と袋表からなり、少なくとも該袋台と袋表のいずれか一方、又は両方が布であり、前記袋台と袋表は縫製により上部に開口部を有する紙吹雪収納部と、その紙吹雪収納部の下方には開口された散らし部を備えると共に、該散らし部の両端に開口を狭めて、紙吹雪の落下を抑える為の落下抑制部及び、散らし部には穴を設け、該穴には開口と閉じるためのすべりの良い紐を通して、前記穴から容易に紐を引き抜き可能とした紙吹雪の落下を防止する落下防止部材を設けたことを特徴とする紙吹雪散らし具。
【請求項２】
請求項１に記載の紙吹雪散らし具を衣装に設けたことを特徴とする紙吹雪ちらし具を装着した衣装。